(57)【要約】【課題】用紙の表面に記録される原稿画像の印字特性に応じて、裏面に記録する広告用の画像データを選択することにより、表面の本来の原稿画像の視認性を向上することができ、裏面の広告画像が透けて見えることを防止できる画像処理方法及び装置を提供する。【解決手段】読み取られた原稿の画像データに基づく原稿画像を用紙の表面に記録する（Ｓ１）。原稿画像がカラー画像である場合には（Ｓ４：ＹＥＳ）、カラーまたはモノクロームの広告用の画像データを選択し（Ｓ５）、原稿画像がモノクローム画像データである場合には（Ｓ４：ＮＯ）、モノクロームの広告用の画像データを選択する（Ｓ６）。選択した広告用の画像データに応じた広告画像を用紙の裏面に記録する（Ｓ７）。【選択図】図２
2009202551.tif 000002
【特許請求の範囲】
【請求項１】
シート状の記録媒体の第１面に、原稿から取得した第１画像データに応じた画像を記録し、前記記録媒体の第２面に、予め準備されている複数の画像データから選択した第２画像データに応じた画像を記録する画像処理方法であって、
前記記録媒体の第１面に記録される画像の印字特性を検出し、検出した印字特性に基づいて複数の画像データから前記第２画像データを選択することを特徴とする画像処理方法。
【請求項２】
シート状の記録媒体の第１面に、原稿から取得した第１画像データに応じた画像を記録し、前記記録媒体の第２面に、予め準備されている複数の画像データから選択した第２画像データに応じた画像を記録する画像処理装置であって、
前記記録媒体の第１面に記録される画像の印字特性を検出する手段と、
検出した印字特性に基づいて複数の画像データから前記第２画像データを選択する手段と
を備えることを特徴とする画像処理装置。
【請求項３】
前記印字特性は、前記記録媒体の第１面に記録される画像がカラー画像であるかモノクローム画像であるかを示す特性、前記記録媒体の第１面に記録される画像に応じた第１画像データのデータ量を示す特性、及び、前記記録媒体の第１面に記録される画像の分布状態を示す特性の中の少なくとも一つの特性を含んでいることを特徴とする請求項２記載の画像処理装置。
【請求項４】
シート状の記録媒体の第１面に、原稿から取得した第１画像データに応じた画像を記録し、前記記録媒体の第２面に、予め準備されているカラー画像データ及びモノクローム画像データを含む複数の画像データから選択した第２画像データに応じた画像を記録する画像処理装置であって、
前記記録媒体の第１面に記録される画像がカラー画像であるかモノクローム画像であるかを判断する手段と、
前記画像がカラー画像である場合には、前記第２画像データとして、前記複数の画像データからカラー画像データまたはモノクローム画像データを選択する手段と、
前記画像がモノクローム画像である場合には、前記第２画像データとして、前記複数の画像データからモノクローム画像データを選択する手段と
を備えることを特徴とする画像処理装置。
【請求項５】
シート状の記録媒体の第１面に、原稿から取得した第１画像データに応じた画像を記録し、前記記録媒体の第２面に、予め準備されていてデータ量が異なる複数の画像データから選択した第２画像データに応じた画像を記録する画像処理装置であって、
前記第１画像データのデータ量及び前記記録媒体の第１面に記録される画像の分布状態を求める手段と、
求めたデータ量及び分布状態に基づいて、前記複数の画像データから前記第２画像データを選択する手段と
を備えることを特徴とする画像処理装置。
【請求項６】
前記第２画像データは広告用の画像データであることを特徴とする請求項２から５のいずれかに記載の画像処理装置。
【発明の詳細な説明】
【技術分野】
【０００１】
本発明は、シート状の記録媒体の表面及び裏面に画像データに応じた画像をそれぞれ記録する画像処理方法及び画像処理装置に関する。
【背景技術】
【０００２】
ユーザから依頼された原稿の複写処理を行う商用のシステムにあっては、ユーザから依頼された原稿画像に広告画像を付加して複写を行うことにより、広告収入で複写費用を賄って、原稿の複写料金を無料とするサービスをユーザに提供することが行われている。そして、このサービスを実現するための印刷装置の一例が特許文献１に提案されている。
【０００３】
特許文献１に記載されている印刷装置では、記録用紙の表面にユーザから依頼された原稿の画像データに応じた画像を記録し、その記録用紙の裏面にはサーバから取得した広告用の画像データに応じた広告画像を記録するようにしている。
【特許文献１】特開２０００−３２６５８１号公報
【発明の開示】
【発明が解決しようとする課題】
【０００４】
記録用紙の裏面に記録される広告画像用の画像データは、常に固定であったり、単に所定の順番通りに指定されたり、ランダムに選択されたりしている。何れの場合にあっても、記録用紙の表面に記録される原稿画像用の画像データとは全く無関係に、広告画像用の画像データが決定されている。
【０００５】
したがって、表面の本来の原稿画像とは関係なく裏面に広告画像が記録されるため、どちらの面の画像が本来の原稿画像であるのかが一見分からなくなったり、表面側から裏面の広告画像が透けて見えてユーザが目障りに感じるという問題がある。
【０００６】
本発明は斯かる事情に鑑みてなされたものであり、表面（第１面）に記録される原稿の画像（読み取った原稿画像）の印字特性に応じて裏面（第２面）の付帯画像データ（広告画像用の画像データ）を選択することにより、表面の本来の原稿画像の視認性を向上することができ、裏面の付帯画像が透けて見えることを防止できる画像処理方法及び画像処理装置を提供することを目的とする。
【課題を解決するための手段】
【０００７】
本発明に係る画像処理方法は、シート状の記録媒体の第１面に、原稿から取得した第１画像データに応じた画像を記録し、前記記録媒体の第２面に、予め準備されている複数の画像データから選択した第２画像データに応じた画像を記録する画像処理方法であって、前記記録媒体の第１面に記録される画像の印字特性を検出し、検出した印字特性に基づいて複数の画像データから前記第２画像データを選択することを特徴とする。
【０００８】
本発明に係る画像処理装置は、シート状の記録媒体の第１面に、原稿から取得した第１画像データに応じた画像を記録し、前記記録媒体の第２面に、予め準備されている複数の画像データから選択した第２画像データに応じた画像を記録する画像処理装置であって、前記記録媒体の第１面に記録される画像の印字特性を検出する手段と、検出した印字特性に基づいて複数の画像データから前記第２画像データを選択する手段とを備えることを特徴とする。
【０００９】
本発明の画像処理方法及び画像処理装置にあっては、記録媒体の第１面に原稿から取得した第１画像データに応じた画像を記録し、記録媒体の第２面には、第１面に記録される画像の印字特性に基づいて選択した第２画像データに応じた画像を記録する。よって、記録媒体の第１面の画像と第２面の画像とで印字特性が類似するため、第２面の画像が過度に強調されることは防がれる。
【００１０】
本発明に係る画像処理装置は、前記印字特性は、前記記録媒体の第１面に記録される画像がカラー画像であるかモノクローム画像であるかを示す特性、前記記録媒体の第１面に記録される画像に応じた第１画像データのデータ量を示す特性、及び、前記記録媒体の第１面に記録される画像の分布状態を示す特性の中の少なくとも一つの特性を含んでいることを特徴とする。
【００１１】
本発明の画像処理装置にあって、印字特性は、原稿画像の種別・内容を示すものではなく、記録媒体における画像の記録状態を示すものであり、具体的に印字特性として、第１面に記録される画像のカラー／モノクロームの区別、第１面に記録される画像のデータ量、第１面に記録される画像の分布状態の何れかが少なくとも含まれている。よって、第２面の画像の透視、第２面の画像の過度の強調が生じない。
【００１２】
本発明に係る画像処理装置は、シート状の記録媒体の第１面に、原稿から取得した第１画像データに応じた画像を記録し、前記記録媒体の第２面に、予め準備されているカラー画像データ及びモノクローム画像データを含む複数の画像データから選択した第２画像データに応じた画像を記録する画像処理装置であって、前記記録媒体の第１面に記録される画像がカラー画像であるかモノクローム画像であるかを判断する手段と、前記画像がカラー画像である場合には、前記第２画像データとして、前記複数の画像データからカラー画像データまたはモノクローム画像データを選択する手段と、前記画像がモノクローム画像である場合には、前記第２画像データとして、前記複数の画像データからモノクローム画像データを選択する手段とを備えることを特徴とする。
【００１３】
本発明の画像処理装置にあっては、記録媒体の第１面に記録される画像がカラー画像である場合に、第２面用の第２画像データとしてカラー画像データまたはモノクローム画像データの何れでも選択し、記録媒体の第１面に記録される画像がモノクローム画像である場合には、第２面用の第２画像データとしてモノクローム画像データのみを選択する。第１面の画像（原稿画像）がカラー画像である場合には、第２面の画像はカラー画像またはモノクローム画像の何れであっても、第２面の画像が過度に目立つことはない。これに対して、第１面の画像（原稿画像）がモノクローム画像である場合に、第２面の画像がカラー画像であれば、その第２面の画像は目立ってしまう。そこで、本発明では、第１面に記録される画像がモノクローム画像である場合（第１面用に取得した第１画像データがモノクローム画像データである場合）には、第２面用の第２画像データとしてモノクローム画像データのみを選択する。よって、第２面の画像は過度に目立たない。
【００１４】
本発明に係る画像処理装置は、シート状の記録媒体の第１面に、原稿から取得した第１画像データに応じた画像を記録し、前記記録媒体の第２面に、予め準備されていてデータ量が異なる複数の画像データから選択した第２画像データに応じた画像を記録する画像処理装置であって、前記第１画像データのデータ量及び前記記録媒体の第１面に記録される画像の分布状態を求める手段と、求めたデータ量及び分布状態に基づいて、前記複数の画像データから前記第２画像データを選択する手段とを備えることを特徴とする。
【００１５】
本発明の画像処理装置にあっては、第１画像データのデータ量（原稿画像のデータ量）及び第１面に記録される画像の分布状態を求め、求めたデータ量及び分布状態に基づいて、第２面用の第２画像データを選択する。第１面に記録される画像（原稿画像）のデータ量が少なくて、第２面用の第２画像データのデータ量が多い場合には、第２面の画像が透視されて目立ってしまう。そこで、本発明では、第１面に記録される画像（原稿画像）のデータ量が少ない場合には、それに合わせて、データ量が少ない第２面用の第２画像データを選択する。また、第１面に記録される画像（原稿画像）の画像領域の分布が粗であって、第２面用の第２画像データのデータ量が多い場合には、第２面の画像が透視されて目立ってしまう。そこで、本発明では、第１面に記録される画像（原稿画像）の画像領域の分布が粗である場合には、それに合わせて、データ量が少ない第２面用の第２画像データを選択する。よって、第２面の画像は透視されず、第２面の画像は過度に目立たない。
【００１６】
本発明に係る画像処理装置は、前記第２画像データは広告用の画像データであることを特徴とする。
【００１７】
本発明の画像処理装置にあっては、第２面用の第２画像データが広告用の画像データである。よって、第１面に原稿画像が記録された記録媒体の第２面に、広告画像が過度に目立つことなく記録される。
【発明の効果】
【００１８】
本発明の画像処理方法及び画像処理装置では、記録媒体の第１面（表面）に記録される画像の印字特性（カラー／モノクロームの区別、画像のデータ量、画像の分布状態の中の少なくとも一つ）に基づいて、第２面（裏面）用の第２画像データを選択するようにしたので、第２面（裏面）の画像が透けて見えたり、第２面（裏面）の画像が過度に目立ったりすることを防止することができる。
【発明を実施するための最良の形態】
【００１９】
以下、本発明をその実施の形態を示す図面を参照して具体的に説明する。なお、本発明は、以下の実施の形態に限定されるものではない。
【００２０】
図１は、本発明に係る画像処理装置としてのデジタル複合機の構成例を示すブロック図である。図中１は複合機であり、複合機１は、制御部１０、ＲＯＭ１１、ＲＡＭ１２、ＮＣＵ(Network Control Unit)１３、モデム１４、読取部１５、画像データ処理部１６、第１画像メモリ１７、第２画像メモリ１８、記録部１９、操作部２０、表示部２１、コーデック２２、通信インタフェース２３等を備えており、夫々はバス２４を介して相互に接続されている。
【００２１】
なお、以下の実施の形態では、読取部１５での読取りで取得される画像データが、何らかの変換・編集処理（取得したカラ−画像データをモノクローム画像データに変換する処理、取得した画像データの一部を削除する処理など）を受けることなく、そのまま画像として記録媒体としての用紙の第１面としての表面に記録されることとする。したがって、用紙の表面に記録される画像の印字特性は、読み取る原稿画像の印字特性に一致する。
【００２２】
制御部１０は、具体的にはＣＰＵ（Central Processing Unit)で構成されており、バス２４を介して接続される上述したようなハードウェア各部を制御すると共に、ＲＯＭ１１に格納された制御プログラムに従って、種々のソフトウェア的機能を実現する。ＲＯＭ１１は、複合機１の動作に必要な種々の制御プログラムを予め記憶している。ＲＡＭ１２は、ＳＲＡＭまたはフラッシュメモリ等で構成され、制御部１０による制御プログラムの実行時に発生するデータを一時的に記憶する。
【００２３】
モデム１４は、ファクシミリ通信が可能なファックスモデムで構成されており、ＮＣＵ１３と直接的にも接続されている。ＮＣＵ１３は、公衆電話回線網Ｌと接続されており、必要に応じてモデム１４を公衆電話回線網Ｌと接続し、公衆電話回線網Ｌを介して外部の装置との間でのファクシミリ通信を可能としている。
【００２４】
読取部１５は、例えば、ＣＣＤ(Charge Coupled Device）等を利用した光走査により、プラテンに載置された原稿の画像を読み取って、ＲＧＢ表色系の複数の色成分を有する原稿のカラー画像データを取得するフラットベッドスキャナ方式の読取装置である。読取部１５は、取得した原稿の画像データ（第１画像データ）を画像データ処理部１６へ出力する。
【００２５】
画像データ処理部１６は、取得した画像データに基づいて、読み取られた原稿における画像の印字特性を検出する。つまり、画像データ処理部１６は、取得した画像データに基づいて、原稿画像がカラー画像であるかモノクローム画像であるかの判別、原稿画像のデータ量の算出、原稿画像の分布状態の検出などの処理を行う。具体的に、画像データ処理部１６は、入力されたＲＧＢ表色系の画像データを、ＹＣｒＣｂ（Ｙ：輝度成分、ＣｒＣｂ：色差成分）表色系の画像データに変換し、その色差成分ＣｒＣｂの有無に基づいて、カラー画像かモノクローム画像かを判別する。また、画像データ処理部１６は、輝度レベルが所定レベル以下である画素数を計数することにより、原稿画像のデータ量を算出する。更に、画像データ処理部１６は、ウェーブレット変換を施してエッジ位置を算出し、そのエッジ位置の分布に基づいて、原稿画像の分布状態（粗または密）を検出する。エッジ位置が全体域に分散している場合には、原稿画像の分布状態が粗であると判断でき、エッジ位置が部分的に集中している場合には、原稿画像の分布状態が密であると判断できる。      
【００２６】
第１画像メモリ１７は、ＤＲＡＭにより構成されており、原稿の画像を読み取って得られる画像データ（第１画像データ）、外部のファクシミリ機から受信した画像データ、通信インタフェース２３を介して外部の装置から受信した画像データなどを記憶する。第２画像メモリ１８は、ＤＲＡＭにより構成されており、用紙の第２面としての裏面に記録される広告画像に応じた広告用の画像データ（第２画像データ）を記憶する。第２画像メモリ１８は、データ量が異なる複数種のカラー画像データ及びデータ量が異なる複数種のモノクローム画像データを記憶している。
【００２７】
記録部１９は、両面印刷が可能な電子写真方式のプリンタ装置であって、読取部１５にて読み取った原稿の画像データ、受信した画像データなどに応じた画像を記録媒体としての用紙にプリントアウトする。また、広告画像の記録処理が設定されている場合に、記録部１９は、読取部１５にて読み取った原稿の画像データ（第１画像データ）に応じた画像を用紙の表面に記録するとともに、第２画像メモリ１８に記憶されている複数の広告用の画像データから選択された画像データ（第２画像データ）に応じた広告画像を用紙の裏面に記録する。この際、画像データ処理部１６にて検出された原稿における画像の印字特性に基づいて、記録すべき広告用の画像データ（第２画像データ）が選択される。
【００２８】
操作部２０は、複合機１を操作するために必要な各種のキーを備えている。操作部２０は、ファンクションキーとして、用紙の裏面に広告画像を記録する処理をユーザから受け付けるための広告記録キー２０ａを有している。
【００２９】
表示部２１は、液晶ディスプレイ（ＬＣＤ）で構成されており、複合機１の動作状況、複合機１として表示すべき表示画面、操作部２０から入力された文字等を表示する。なお、表示部２１をタッチパネル方式のものとすることにより、操作部２０の各種のキーのうちの一部又は全部を代用することも可能である。
【００３０】
コーデック２２は、画像データを所定の方式（例えばＭＨ，ＭＲ，ＭＭＲ，ＪＢＩＧ等）に従って圧縮したり、圧縮された画像データを所定の方式に従って伸長する。通信インタフェース２３は、図示しないネットワークを介して接続される外部のコンピュータ等の装置へ画像データを送信し、また、ネットワークを介して外部の装置から画像データを受信する。
【００３１】
次に、複合機１の動作について説明する。複合機１は、用紙の表面に、読取部１５で原稿を読み取って取得される画像データ（第１画像データ）に応じた原稿画像を記録し、その用紙の裏面には、第２画像メモリ１８に記憶されている複数の広告用の画像データから選択した一つの画像データ（第２画像データ）に応じた広告画像を記録する。
【００３２】
本発明では、この広告用の第２画像データを選択する際に、従来例のように、ランダムに選択したり、単なる所定の順序で選択したりするのではなく、原稿画像の印字特性（用紙の表面に記録される画像の印字特性）に基づいて、適正な第２画像データを選択するようにしている。よって、用紙の裏面に記録された広告画像が用紙の表面側から透けて見えるようなことはなく、また広告画像が過度に目立たつようなことはないため、その広告画像がユーザにとって目障りになることはない。本発明における印字特性とは、原稿画像の種別（文字原稿／写真原稿の区別など）、原稿画像の内容（記載事項など）を指すのではなく、用紙における画像の記録状態を指している。
【００３３】
上述したような本発明の特徴的な記録処理（特に、原稿画像の印字特性（カラー／モノクローム、データ量、分布状態）の検出処理と印字特性の検出結果に基づく広告用の画像データの選択処理）の具体例について以下に説明する。
【００３４】
（第１実施の形態）
図２は、第１実施の形態における動作手順を示すフローチャートである。この第１実施の形態では、用紙の表面に記録される原稿画像がカラー画像であるかモノクローム画像であるかに基づいて、記録すべき広告用の画像データ（第２画像データ）を選択する。選択対象となる複数の画像データは、カラー画像データとモノクローム画像データとに分類されて、第２画像メモリ１８に記憶されている。
【００３５】
記録部１９は、読取部１５で読み取られた原稿の画像データに応じた原稿画像を用紙の表面に記録する（ステップＳ１）。制御部１０は、操作部２０の広告記録キー２０ａが押されたか否かを判断し（ステップＳ２）、押されていない場合には（Ｓ２：ＮＯ）そのまま動作を終了する。
【００３６】
広告記録キー２０ａが押されている場合（Ｓ２：ＹＥＳ）、画像データ処理部１６は、読取部１５で取得された画像データがカラー画像データかモノクローム画像データかを、取得された画像データの色差成分ＣｒＣｂの有無に基づいて判別し、その判別結果を制御部１０ヘ出力する（ステップＳ３）。
【００３７】
取得した画像データがカラー画像データである場合、つまり原稿画像がカラー画像である場合（ステップＳ４：ＹＥＳ）、制御部１０は、カラーまたはモノクロームの広告用の画像データを第２画像メモリ１８から選択する（ステップＳ５）。一方、取得した画像データがモノクローム画像データである場合、つまり原稿画像がモノクローム画像である場合（Ｓ４：ＮＯ）、制御部１０は、モノクロームの広告用の画像データを第２画像メモリ１８から選択する（ステップＳ６）。
【００３８】
そして、記録部１９は、選択された画像データに応じた広告画像を用紙の裏面に記録して（ステップＳ７）、動作が終了する。
【００３９】
第１実施の形態では、用紙の表面に記録される画像つまり原稿画像がカラー画像である場合には用紙の裏面にカラーの広告画像またはモノクロームの広告画像の何れかが記録されるが、用紙の表面に記録される画像つまり原稿画像がモノクローム画像である場合には用紙の裏面にモノクロームの広告画像しか記録されない。よって、表面の原稿画像がモノクローム画像であるときに、裏面にカラーの広告画像が記録されることはなく、広告画像が過度に目立つ事態を避けることができる。
【００４０】
（第２実施の形態）
図３は、第２実施の形態における動作手順を示すフローチャートである。この第２実施の形態では、用紙の表面に記録される原稿画像のデータ量に基づいて、記録すべき広告用の画像データを選択する。選択対象となる複数の画像データは、所定の閾値によりデータ量が多い画像データとデータ量が少ない画像データとに分類されて、第２画像メモリ１８に記憶されている。
【００４１】
記録部１９は、読取部１５で読み取られた原稿の画像データに応じた原稿画像を用紙の表面に記録する（ステップＳ１１）。制御部１０は、操作部２０の広告記録キー２０ａが押されたか否かを判断し（ステップＳ１２）、押されていない場合には（Ｓ１２：ＮＯ）そのまま動作を終了する。
【００４２】
広告記録キー２０ａが押されている場合（Ｓ１２：ＹＥＳ）、画像データ処理部１６は、輝度レベルが所定レベル以下である画素数を計数することにより、原稿画像のデータ量を算出し、算出結果を制御部１０ヘ出力する（ステップＳ１３）。制御部１０は、その算出結果により、原稿画像のデータ量が所定量より多いか否かを判断する（ステップＳ１４）。
【００４３】
原稿画像のデータ量が所定量より多い場合（Ｓ１４：ＹＥＳ）、制御部１０は、データ量が多い画像データと分類されている広告用の画像データまたはデータ量が少ない画像データと分類されている広告用の画像データを第２画像メモリ１８から選択する（ステップＳ１５）。一方、原稿画像のデータ量が所定量より少ない場合（Ｓ１４：ＮＯ）、制御部１０は、データ量が少ない画像データと分類されている広告用の画像データを第２画像メモリ１８から選択する（ステップＳ１６）。
【００４４】
そして、記録部１９は、選択された画像データに応じた広告画像を用紙の裏面に記録して（ステップＳ１７）、動作が終了する。
【００４５】
第２実施の形態では、用紙の表面に記録される原稿画像のデータ量が多い場合には、データ量の多少に関わらない広告用の画像データを選択し、用紙の表面に記録される原稿画像のデータ量が少ない場合には、データ量が少ない広告用の画像データを選択するようにしている。この結果、原稿画像のデータ量に合わせて適正な広告画像を記録できる。よって、データ量が少ない原稿画像が表面に記録されているときに、裏面にデータ量が多い広告画像が記録されることはなく、広告画像が透けて見えて目立ってしまう事態を避けることができる。
【００４６】
（第３実施の形態）
図４は、第３実施の形態における動作手順を示すフローチャートである。この第３実施の形態では、用紙の表面に記録される原稿画像のカラー／モノクロームの判別、用紙の表面に記録される原稿画像のデータ量、及び用紙の表面に記録される原稿画像の分布状態に基づいて、記録すべき広告用の画像データを選択する。選択対象となる複数の画像データは、データ量が所定の第１閾値より多いカラー画像データと、データ量が第１閾値より少ないカラー画像データと、データ量が所定の第２閾値より多いモノクローム画像データと、データ量が第２閾値より少ないモノクローム画像データとに分類されて、第２画像メモリ１８に記憶されている。
【００４７】
記録部１９は、読取部１５で読み取られた原稿の画像データに応じた原稿画像を用紙の表面に記録する（ステップＳ２１）。制御部１０は、操作部２０の広告記録キー２０ａが押されたか否かを判断し（ステップＳ２２）、押されていない場合には（Ｓ２２：ＮＯ）そのまま動作を終了する。
【００４８】
広告記録キー２０ａが押されている場合（Ｓ２２：ＹＥＳ）、画像データ処理部１６は、まず、読取部１５で取得された画像データがカラー画像データかモノクローム画像データかを判別し、その判別結果を制御部１０ヘ出力する（ステップＳ２３）。また、画像データ処理部１６は、原稿画像のデータ量を算出し、その算出結果を制御部１０ヘ出力する（ステップＳ２４）。更に、画像データ処理部１６は、原稿画像のエッジ位置の分布に基づいて、原稿画像の分布状態を検出し、その検出結果を制御部１０ヘ出力する（ステップＳ２５）。
【００４９】
図５は、原稿画像のデータ量及び原稿画像の分布状態に基づく原稿画像のパターン分類を模式的に示す図である。図５（ａ）はデータ量が多くて画像分布が密（集中的）である例を表し、図５（ｂ）はデータ量が少なくて画像分布が密（集中的）である例を表し、図５（ｃ）はデータ量が少なくて画像分布が粗（分散的）である例を表し、図５（ｄ）はデータ量が多くて画像分布が粗（分散的）である例を表している。
【００５０】
第３実施の形態では、データ量及び分布状態に基づくこのような４種のパターン分類に更に、カラー／モノクロームの判別結果が加わるので、全体として原稿画像は８種のパターン（印字特性）に分類されることになる。
【００５１】
制御部１０は、画像データ処理部１６からの出力結果に応じて、原稿画像が８種のパターン（印字特性）の何れに該当するかを判断し、判断したパターン（印字特性）に基づいて広告用の画像データを第２画像メモリ１８から選択する（ステップＳ２６）。
【００５２】
図６は、この選択基準を示す図表である。図６において、Ａはデータ量が所定の第１閾値より多い広告用のカラー画像データ、Ｂはデータ量が第１閾値より少ない広告用のカラー画像データ、Ｃはデータ量が所定の第２閾値より多い広告用のモノクローム画像データ、Ｄはデータ量が第２閾値より少ない広告用のモノクローム画像データを表している。
【００５３】
そして、記録部１９は、原稿画像のパターン（印字特性）に基づき図６の選択基準にしたがって選択された画像データに応じた広告画像を用紙の裏面に記録して（ステップＳ２７）、動作が終了する。
【００５４】
第３実施の形態では、用紙の表面に記録される原稿画像の印字特性（カラー／モノクローム，データ量，分布状態）に基づいて、裏面に記録すべき広告用の画像データを選択するようにしている。よって、用紙表面の原稿画像と用紙裏面の広告画像とは印字状態が似通ったものとなるため、広告画像が過度に目立つ事態を避けることができる。なお、図６に示した選択基準は一例であって、本発明がこれに限定されるものでないことは勿論である。
【００５５】
ところで、図５（ｂ）のパターンと図５（ｄ）のパターンとでは、データ量に差異があまり見られない場合が起こり得るが，第３実施の形態では、分布状態（密／粗）も考慮しているので、両パターンを確実に分別できて、それぞれのパターンに適した広告画像を記録することができる。
【００５６】
データ量の多／少を判断するための閾値、及び／または、分布状態の密／粗を判断するための基準を決定する手法として以下のようなものが可能である。
（１）原稿画像における画像データの閾値及び／または基準と、広告用の画像データの閾値及び／または基準とを同じにする。
（２）第２画像メモリ１８に記憶されている複数の画像データの特性分布にしたがって、広告用の画像データの閾値及び／または基準を決定する。
【００５７】
（１）の場合には、より適正な選択が可能となる。しかしながら、単純な数値設定によって閾値及び／または基準を決定した場合には、原稿画像のデータ量が少ない場合に使用可能な広告用の画像データが存在しなかったり、使用できる広告用の画像データに偏りが生じたりする事態が発生する。広告画像の意義から考えると、複数種のものが均等に順次記録されることが望ましいため、このような事態を解消するためには、上記（２）の手法がより現実的である。
【００５８】
なお、上述した実施の形態では、原稿画像のデータ量を２段階に分類するようにしたが、３段階以上にデータ量を分類して、それぞれで最適な広告用の画像データを選択するようにしても良い。また、原稿画像の分布状態（粗密状態）も上記の２段階でなくて３段階以上に分類して良い。このような場合には、原稿画像の３段階以上の分類に対応させて、第２画像メモリ１８にも３段階以上の広告用の画像データを記憶しておくようにすれば良い。
【００５９】
また、本発明における他の実施の形態として、原稿の画像領域を検出し、その検出した画像領域に類似した画像領域を有する広告用の画像データを選択するようにして、用紙裏面の広告画像が表面側から透けて見えないようにすることも可能である。
【００６０】
ところで、上述した実施の形態では、読み取った画像データをそのまま画像として自動的に用紙に記録する場合について説明した。これとは異なり、ユーザからの指示によって、カラー原稿からカラー画像データを読み取ってもモノクローム画像として用紙に記録したり、読み取った画像データの一部を削除して残りのみを画像として用紙に記録したりすることがある。本発明において、広告用の画像データ（第２画像データ）の選択基準は、あくまでも用紙（記録媒体）の表面（第１面）に記録される画像の印字特性であるので、原稿の画像データ読取り後に上述したような変換・編集処理がなされた場合には、変換・編集処理後の画像データの特性に基づいて、広告用の画像データ（第２画像データ）を選択するようにすれば、上述した実施の形態と同様に、用紙の裏面に記録された広告画像が用紙の表面側から透けて見えるようなことはなく、また広告画像が過度に目立たつようなこともない。
【図面の簡単な説明】
【００６１】
【図１】本発明に係る画像処理装置としての複合機の構成を示すブロック図である。
【図２】第１実施の形態における動作手順を示すフローチャートである。
【図３】第２実施の形態における動作手順を示すフローチャートである。
【図４】第３実施の形態における動作手順を示すフローチャートである。
【図５】原稿画像のデータ量及び原稿画像の分布状態に基づく原稿画像のパターン（印字特性）分類を模式的に示す図である。
【図６】広告用の画像データの選択基準を示す図表である。
【符号の説明】
【００６２】
１  複合機
１０  制御部
１５  読取部
１６  画像データ処理部
１７  第１画像メモリ
１８  第２画像メモリ
１９  記録部
２０  操作部
２０ａ  広告記録キー
【図１】
2009202551.tif 000003
【図２】
2009202551.tif 000004
【図３】
2009202551.tif 000005
【図４】
2009202551.tif 000006
【図５】
2009202551.tif 000007
【図６】
2009202551.tif 000008